(57)【要約】      （修正有）【課題】簡易な構造で、インパクト時の手が、適正なスイング軌道にあるか否か、直接認識することができ、手を適正なスイング軌道に位置するよう習得、ゴルフスイングの癖を修正、矯正することができ、かつポータブルで、ゴルフ場におけるプレー直前、プレー中の合間にも、ゴルフ練習場での個人的練習にも、気軽に使用することができるゴルフスイング練習装置を提供する。【解決手段】ゴルフスイング練習場所に設置される土台２と、土台２に回動可能に取り付けられる保持具と、保持具で保持されるロッド７と、ロッド７の先端に固定される目印８とからなるゴルフスイング練習装置１とした。【選択図】図６
0003192606.tif 000002
【実用新案登録請求の範囲】
【請求項１】
ゴルフスイング練習場所に設置される土台と、前記土台に回動可能に取り付けられる保持具と、前記保持具で保持されるロッドと、前記ロッドの先端に固定される目印とからなり、
アドレス時の手を前記目印を基準に位置決めし、インパクト時の手の位置と前記目印の位置関係でゴルフスイング軌道の適否を判断するために用いられることを特徴とするゴルフスイング練習装置。
【請求項２】
前記目印が、スポンジ或いはウレタンであることを特徴とする請求項１に記載のゴルフスイング練習装置。
【考案の詳細な説明】
【技術分野】
【０００１】
本考案は、ゴルフクラブのスイング軌道を確認、特にインパクト時の手の位置が正しいか否かを確認することができ、さらに正しいスイング軌道が習得でき、ゴルフスイングの癖を修正、矯正できるゴルフスイング練習装置に関する。
【背景技術】
【０００２】
ゴルフスイングの練習装置、矯正装置はいくつか知られている。例えば、特許文献１に公開のゴルフスイング練習機がある。それは、従来の回転型ゴルフスイング練習機では、ショット後打撃用ボール付回転体が回転するだけであったためインパクト時のクラブフェース角度の良否およびクラブヘッド軌道の良否の判断が難しく、またショット後の飛球イメージをつかむのが難しく、さらに打撃物が傾斜を利用して打撃位置に戻るものやショットの反動を利用して打撃位置に戻るものは今までなかったことから、支持台に高さ調節可能な支持部を設け、その支持部に伸縮可能な摺動部を傾斜を付けて取り付け、その摺動部に打撃部を連結部と吊下げ部とで吊りさげる構成としたもので、これにより、インパクト時のクラブフェース角度およびクラブヘッド軌道の良否の判断が容易となり、また、ショット後の飛球イメージを得ることや打撃部を打撃位置まで戻る機能により反復練習を可能にするというものである。
【０００３】
しかしながら、特許文献１の発明では、クラブフェース角度およびクラブヘッド軌道の良否の判断、また、ショット後の飛球イメージを得るものであるため、ゴルフスイング時の手の位置の適否を直接判断することはできない。飛球を通じて、ゴルフスイング軌道を間接的に把握するものでしかない。
【０００４】
また、特許文献２には、伸縮自在な棒体１１を備えた指示具１０が、保持具としての帽子２０を介して使用者Ｍの頭部ｈに固定され、その棒体１１の先端が架台４０に設置される軌道修正具３０のガイド溝３０にて摺動自在に支持されるようにしてあり、そして、棒体１１の先端がガイド溝３１に沿って円滑に動くようにスイングすることにより、適正なスイングに矯正することができるスイング練習用具が開示されている。また、特許文献３にも、ゴルフスイング矯正機が開示されている。
【０００５】
しかしながら、何れのものも複雑な装置で、大掛かりで、組み立て、実施が煩雑であり、ゴルフ場でのプレー開始前の練習、プレー中の合間など、手軽にスイングチェックなど行える装置ではない。また、ゴルフ練習場においても、個人的に使用することは到底できない。
【先行技術文献】
【特許文献】
【０００６】
【特許文献１】特開２０１４−８３４０５号公報
【特許文献２】実用新案登録第３０１５５３６号公報
【特許文献３】実開平０１−１２０８８０号公報
【考案の概要】
【考案が解決しようとする課題】
【０００７】
そこで、本考案は、簡易な構造で、インパクト時の手が、適正なスイング軌道にあるか否か、直接認識することができ、手を適正なスイング軌道に位置するよう習得、ゴルフスイングの癖を修正、矯正することができ、かつポータブルで、ゴルフ場におけるプレー直前、プレー中の合間にも、ゴルフ練習場での個人的練習にも、気軽に使用することができるゴルフスイング練習装置を提供することを目的とする。
【課題を解決するための手段】
【０００８】
本考案は、上記課題を解決するために、
（１）
ゴルフスイング練習場所に設置される土台と、前記土台に回動可能に取り付けられる保持具と、前記保持具で保持されるロッドと、前記ロッドの先端に固定される目印とからなり、
アドレス時の手を前記目印を基準に位置決めし、インパクト時の手の位置と前記目印の位置関係でゴルフスイング軌道の適否を判断するために用いられることを特徴とするゴルフスイング練習装置。
（２）
前記目印が、スポンジ或いはウレタンであることを特徴とする（１）に記載のゴルフスイング練習装置。
とした。
【考案の効果】
【０００９】
本考案は、上記構成であるので、ゴルフクラブのスイング軌道が正しいか直接認識することができるとともに、正しいスイング軌道を習得でき、或いはゴルフスイングの癖を修正、矯正することができるようになる。特に、本考案でゴルフスイングをチェック、練習することで、インパクト時の手の位置を正しい位置（アドレス時の位置）に戻すようになるので、いわゆるシャンクを解消することができる。さらに、正しいゴルフクラブの円軌道を習得することができるので、スライス、フックボールなどの飛球の癖が改善され、ゴルフボールを目的の方向に打ち出しすることができるようになる。
【００１０】
また、軽量、簡易な構造なので、ポートブルとすることができ、ゴルフ練習場で個人的にも、ゴルフ場でもプレー前、プレー中の合間にも、気軽に使用することができる。
【図面の簡単な説明】
【００１１】
【図１】本考案であるゴルフスイング練習装置の斜視図である。
【図２】基部、支持部、クランプの拡大左側面斜視図である。
【図３】基部、支持部、クランプの拡大右側面斜視図である。
【図４】本考案であるゴルフスイング練習装置の使用方法の説明図（１）である。アドレス時の手１２と目印８の位置関係を示す。
【図５】本考案の使用方法の説明図（２）である。ゴルフクラブをテイクバックした時の様子を示す。
【図６】本考案の使用方法の説明図（３）である。ゴルフクラブのインパクト時の様子であり、手１２と目印８の位置関係を示す。
【図７】本考案の使用方法の説明図（４）である。ゴルフクラブのフォロースルー時の様子である。
【図８】インパクト時に手が正しい位置（アドレス時の位置）に戻らない場合（いわゆるシャンクが発生するスイング軌場）の模式図である。
【図９】スイング軌道が正しくない場合のゴルフボールの飛球方向を示す図である。
【考案を実施するための形態】
【００１２】
以下、添付図面に基づいて、本考案について本考案の一実施形態を挙げ詳細に説明する。なお、本考案は下記実施例に限定されるものではない。
【実施例１】
【００１３】
図１−３に示すように、本考案であるゴルフスイング練習装置１は、土台２と、保持具の一例であるクランプ５と、ロッド７と、目印８とからなる。
【００１４】
土台２は、基部３と、支持部４と、必要に応じて杭６を備えてなる。基部３は、ゴルフスイング練習場所に載置される穴３ｃが四隅に穿設されたプレート３ａと、プレート３ａの中央部に立設した凸部３ｂとからなる。穴３ｃには、杭６が挿通され、基部３、ひいてはゴルフスイング練習装置１を練習場所に固定する。基部３はゴムなどで一体成形するとよい。薄いプレート３ａに凸部３ｂを設けることで、杭６が短くて済み、支持部４の固定強度を保ち、かつ軽量化を可能にする。
【００１５】
支持部４は、背中合わせで向き合う左右Ｌ字板４ａ、４ｂと、左右Ｌ字板４ａ、４ｂを凸部３ｂに固定するネジ４ｃ、４ｃとからなる。左右Ｌ字板４ａ、４ｂは、金属板を屈曲して用いることができる。
【００１６】
杭６は、プレート３ａの穴３ｃに挿通し、設置場所に打ち込まれ、基部３をゴルフスイング練習場所に固定するもので、例えば、ゴルフのティーなどを用いることができる。ゴルフプレーヤーは、ズボン、ゴルフバッグにゴルフのティーを常備していることが多い。ティーを杭６として用いることができるので、本考案でゴルフスイングの練習をする場合は、いつでも、気軽に、土台２を練習場所に固定することができる。
【００１７】
クランプ５は、左右プレート５ｇ、５ｈと、左右プレート５ｇ、５ｈの端部である回動部５ｆと、回動部に挿通される軸５ｅと、ロッド７の被保持部７ａを挟持する固定部５ｉと、左右プレート５ｇ、５ｈをロッド７を挟持した上で連結する第一ネジ５ａ及びナット５ｃと、支持部４に左右プレート５ｇ、５ｈを回動可能に固定する第二ネジ５ｂと蝶ナット５ｄとからなる。左プレート５ｇには、第一ネジ５ａ、５ｂの回転を抑止する突起５ｋが隆起し、ナット５ｃ、蝶ナット５ｄの脱着を容易にする。クランプ５は、ロッド７を角度自在に保持する保持具であれば、ここに例示した形状、保持構造に限定されるものではない。
【００１８】
クランプ５は、第二ネジ５ｂ及び蝶ナット５ｄを支点に回動させることができるため、ロッド７の設置面に対する角度を任意に変更でき、目印８の高さを任意に変更することができる。ゴルフプレーヤーの身長、手１２の位置等に合わせて、任意の位置に目印８を移動させることができる。
【００１９】
ロッド７は、クランプ５の固定部５ｉに挟持される被保持部７ａと、被保持部７ａから延設され、先端に目印８を保持する湾曲可能で細身の棒体７ｂとからなる。棒体７ｂが、細ければ、本考案を用いながらゴルフボール打撃する場合でも、ゴルフボールの目視の邪魔にならない。ロッド７として、例えば、釣り竿を転用することができる。棒体７ｂは伸縮可能としてもよい。
【００２０】
目印８は、ロッド７の先端に固定され、アドレス時の手の位置決めの基準である。インパクト時に、手１２が、アドレス時の位置に戻ったか、すなわち、正しいスイング軌道であったかの適否を判断するために用いられる。正しくないスイング軌道である場合には、目印８と手１２が接触することから、目印８は手１２を怪我させないスポンジ或いはウレタン素材などで形成されることが好ましい。また、棒体７ｂが鋭利であるので、人を怪我させないよう、目印８は先端部をカバーする機能もある。
【００２１】
正しいスイング軌道であれば、手は目印８に触れることはなく、ゴルフスイングが完了する。他方、シャンクなどが発生するスイング軌道である場合には、手と目印８は、接触し、正しくないスイング軌道であることをプレーヤーは直接認識することができる。ゴルフボールを実際打撃しても、素振りだけであっても、ゴルフスイングのチェックが可能である。
【００２２】
次に、図４−９を参照して、本考案であるゴルフスイング練習装置の使用方法を説明する。ここでは、練習用のティー１０に載せられたゴルフボール１１を実際に打撃する場合について説明する。図４はアドレス時、図５テイクバック時、図６インパクト時、図７はフォロースルー時の模式図である。
【００２３】
先ず初めに、図４に示すように、ゴルフスイング練習装置１をゴルフスイング練習場所に設置する。杭６を打ち込める場所であれば、杭６を土台２のプレート３ａの穴３ｃに挿通し、土台２を設置場所に固定する。杭６を打ち込めない場所であれば、土台２、ロッド７を重くして位置移動しづらくすること、被保持部７ａを設置場所に接触させ、目印８の打撃でも土台２が移動しないようにすることもできる。
【００２４】
次に、ゴルフプレーヤーのアドレス時の正しい手１２の位置付近に、クランプ５を第二ネジ５ｂを支点に回動させ、必要であれば、棒体７ｂを伸縮させ、目印８を位置させる。そして、第二ネジ５ｂと蝶ナット５ｄを締め付け、クランプ５の位置を固定する。蝶ナット５ｄであれば、工具を携帯せずとも、ゴルフ場、ゴルフ練習場で簡単に、目印８の高さ・距離を調節することができる。
【００２５】
その後、図４に示すように、ゴルフプレーヤーがアドレスを取ると、ゴルフクラブ９を把持した手１２と、目印８は、ほぼ接触するような距離に位置決めされる。ゴルフスイング練習前に、他人に、目印８の位置を微調整してもらうことで、アドレス時の正しい手１２の位置を習得することもできる。図中の白抜き矢印が、目標の打撃方向である。
【００２６】
正しい位置に手１２が位置し、その手１２の近傍に目印８を配置させることができたら、いよいよゴルフスイングの練習となる。図４に示すアドレスから、図５に示すテイクバック、図６に示すインパクトを経て、図７に示すフォロースルーに至る。
【００２７】
図６に示すように、正しいスイング軌道であれば、インパクト時の手１２の位置は、アドレス時の手１２の位置と同じになり、手１２と目印８は接触しない。そして、ゴルフボールは、図７に示すように、目標の打撃方向に打ち出される。
【００２８】
他方、スイング軌道が正しくない場合（シャンク軌道の場合）には、図８に示すように、インパクト時、手１２はアドレス位置に戻らず、目印８を通る軌道を描き、手１２は目印８と接触する。そのときゴルフボール１１は、クラブヘッド９ａのスイートスポットではなく、シャフトの付け根付近に当たる。
【００２９】
その結果、ゴルフボール１１は、図９に示すように、打撃目標方向ではなく、意図しない方向に飛び出す。いわゆるシャンク現象が発生する。そして、手１２と接触した目印８は、衝撃で前方に押しやられ、ロッド７のしなりで、前後方向に振動する。
【００３０】
その結果、ゴルフプレーヤーは、触覚、視覚を通じ、コーチなども視覚を通じ、正しくないゴルフスイング軌道であることを認識することができる。したがって、ゴルフプレーヤーは、目印８に接触しないよう、繰り返し、本考案でゴルフスイングを練習することで、正しいスイング軌道を習得でき、ゴルフスイング癖を修正、矯正することができるようになる。
【符号の説明】
【００３１】
１    ゴルフスイング練習装置
２    土台
３    基部
３ａ  プレート
３ｂ  凸部
３ｃ  穴
４    支持部
４ａ  左Ｌ字板
４ｂ  右Ｌ字板
４ｃ  ネジ
５    クランプ
５ａ  第一ネジ
５ｂ  第二ネジ
５ｃ  ナット
５ｄ  蝶ナット
５ｅ  軸
５ｆ  回動部
５ｇ  左プレート
５ｈ  右プレート
５ｉ  固定部
６    杭
７    ロッド
７ａ  被保持部
７ｂ  棒体
８    目印
９    ゴルフクラブ
９ａ  ヘッド
１０  ティー
１１  ゴルフボール
１２  手
【図１】
0003192606.tif 000003
【図２】
0003192606.tif 000004
【図３】
0003192606.tif 000005
【図４】
0003192606.tif 000006
【図５】
0003192606.tif 000007
【図６】
0003192606.tif 000008
【図７】
0003192606.tif 000009
【図８】
0003192606.tif 000010
【図９】
0003192606.tif 000011